(57)【要約】【課題】  巻き取る際のスクリーンのズレを確実に防止できるようにしたロールスクリーンを提供する。【解決手段】  ロールスクリーンＲ１は、フレーム１の両端側に対向して設けられたブラケット２，２によって回転自在に保持される巻取軸３と、該巻取軸３に巻き取られるスクリーンＳと、上記巻取軸３の両端側に固着してありスクリーンＳを案内して巻き取る際のズレを防止するズレ防止板４を備えている。ズレ防止板４は、周縁部４１が巻取軸３の周囲に張り出した状態で設けてある。ズレ防止板４の周縁部４１はフレーム１に隣接しており、ズレ防止板４の周縁部４１とフレーム１の間隔はスクリーンＳの厚みよりも狭くなっている。  【選択図】図１
2006299801.tif 000002
【特許請求の範囲】
【請求項１】
対向して設けられたブラケット(2,2)間で保持される巻取軸(3)と、該巻取軸(3)に巻き取られるスクリーン(S)と、上記巻取軸(3)の両端側に固着してありスクリーン(S)を巻き取る際のズレを防止するズレ防止体(4,4)と、を備えており、該ズレ防止体(4)は巻取軸(3)の周囲に張り出した周縁部(41)を有しているロールスクリーンであって、
ズレ防止体(4)の周縁部(41)の上側に隣接するかまたはズレ防止体(4)の周縁部(41)のスクリーン(S)垂れ下がり側に隣接した隣接部材(1)を備えており、該隣接部材(1)とズレ防止体(4)の周縁部(41)との間隔は、スクリーン(S)の厚みよりも狭くなっていることを特徴とする、
ロールスクリーン。
【請求項２】
隣接部材(1)は、対向するブラケット(2,2)間を連結するフレーム(1)で構成されていることを特徴とする、
請求項１記載のロールスクリーン。
【請求項３】
隣接部材(1a)のうち少なくともズレ防止体(4)の周縁部(41)と隣接する側は、ズレ防止体(4)の外形に合わせて形成されていることを特徴とする、
請求項１または２記載のロールスクリーン。
【請求項４】
隣接部材(1)には溝があり、ズレ防止体(4)は周縁部(41)が溝の内側に入り込んだ状態で回動するように構成されていることを特徴とする、
請求項１または２記載のロールスクリーン。
【請求項５】
対向して設けられたブラケット(2,2)間で保持される巻取軸(3)と、該巻取軸(3)に巻き取られるスクリーン(S)と、上記巻取軸(3)の両端側に固着してありスクリーン(S)を巻き取る際のズレを防止するズレ防止体(4)(4a)と、を備えているロールスクリーンであって、
該ロールスクリーンは、スクリーン(S)がズレ防止体(4)(4a)を乗り越えてブラケット(2)側にズレることを防止する乗り越え防止体を備えていることを特徴とする、
ロールスクリーン。
【請求項６】
ズレ防止体(4)は巻取軸(3)の周囲に張り出した周縁部(41)を有し、乗り越え防止体(7)(8)のスクリーン係止部(72)(81)は、スクリーン(S)のロール体(R)の外周部の外方に位置し、巻取軸(3)の軸心からスクリーン係止部(72)(81)までの距離は、巻取軸(3)の軸心からズレ防止体(4a)の周縁部(41)までの距離よりも短く構成されていることを特徴とする、
請求項５記載のロールスクリーン。       
【請求項７】
乗り越え防止体は、ロール体(R)の外周部の上側またはロール体(R)の外周部のスクリーン(S)垂れ下がり側に少なくとも設けてある係止体(7)、あるいはズレ防止体(4a)の外周部の上側またはズレ防止体(4a)の外周部のスクリーン(S)垂れ下がり側を少なくとも覆うカバー(8)の何れかまたは双方で構成されていることを特徴とする、      
請求項６記載のロールスクリーン。
【発明の詳細な説明】
【技術分野】
【０００１】
本発明はロールスクリーンに関する。
更に詳しくは、巻き取る際のスクリーンのズレを確実に防止できるようにしたロールスクリーンに関する。
【背景技術】
【０００２】
簾は、我が国において長年親しんできた商品の一つであり、室内を仕切ったり、日光を遮ったりするために使用される。簾は日本家屋に合った東洋的雰囲気を醸し出すため、近年、和食処や居酒屋などといった店内の間仕切りとしても多く利用されている。特に間仕切り用のものとしては、容易に開閉ができるように、簾を巻取軸に巻き取って開閉するロールスクリーン式（ロールブラインド式とも称される）の簾が良く利用されている。    
【０００３】
ところで、ロールスクリーン式の簾の欠点は、簾を真っ直ぐに巻き上げないと、簾が斜めにずれて巻取軸の端部からはみ出し、簾の幅方向の一端部が巻取軸のプーリーやフラスコケットに接触し、擦れたり損傷することにある。
【０００４】
そこで、例えば特許文献１（図８参照）には、スクリーンＳを巻き取って案内するリング状の案内盤９１を巻取筒本体９２の両端側に嵌着したものが提案されている。この公報には、「スクリーンＳの巻き取り時に、たとえスクリーンＳの両側が案内盤９１の外周縁に若干接触したとしても、案内盤９１の丸み部９３によってスクリーンＳを内側へ確実にスライド案内できる。よって、スクリーンＳを巻取筒本体９２に極めて円滑且つ確実に巻き取り収納できる」と記載されている。この構造を採用すれば、ある程度の簾のズレは防止できる。
【特許文献１】実公昭５８−３８１５９号公報
【発明の開示】
【発明が解決しようとする課題】
【０００５】
しかしながら、例えば和食処や居酒屋などでは子供連れの客も多く、子供が簾で遊ぶことも少なくない。子供が簾を何度も勢い良く上げ下げしていると、上記公報記載の案内盤９１（図８参照）を設けても、簾が案内盤を乗り越えてプーリーやブラケット等に接触し、簾が損傷してしまうことがあった。このような状況から、特に和食処や居酒屋などの飲食店から「巻き取る際のスクリーンのズレを確実に防止できるようにしたロールスクリーン」に関する要望が強かった。
【０００６】
（本発明の目的）
そこで本発明の目的は、巻き取る際のスクリーンのズレを確実に防止できるようにしたロールスクリーンを提供することにある。
【課題を解決するための手段】
【０００７】
上記目的を達成するために本発明が講じた手段は次のとおりである。
なお、後述する作用の説明の理解を助けるため、実施例で使用した符号を括弧を用いて記載している。
【０００８】
第１の発明にあっては、
対向して設けられたブラケット(2,2)間で保持される巻取軸(3)と、該巻取軸(3)に巻き取られるスクリーン(S)と、上記巻取軸(3)の両端側に固着してありスクリーン(S)を巻き取る際のズレを防止するズレ防止体(4,4)と、を備えており、該ズレ防止体(4)は巻取軸(3)の周囲に張り出した周縁部(41)を有しているロールスクリーンであって、
ズレ防止体(4)の周縁部(41)の上側に隣接するかまたはズレ防止体(4)の周縁部(41)のスクリーン(S)垂れ下がり側に隣接した隣接部材(1)を備えており、該隣接部材(1)とズレ防止体(4)の周縁部(41)との間隔は、スクリーン(S)の厚みよりも狭くなっていることを特徴とする、
ロールスクリーンである。
【０００９】
第２の発明にあっては、
隣接部材(1)は、対向するブラケット(2,2)間を連結するフレーム(1)で構成されていることを特徴とする、
第１の発明に係るロールスクリーンである。
【００１０】
第３の発明にあっては、
隣接部材(1)のうち少なくともズレ防止体(4)の周縁部(41)と隣接する側は、ズレ防止体(4)の外形に合わせて形成されていることを特徴とする、
第１または第２の発明に係るロールスクリーンである。
【００１１】
第４の発明にあっては、
隣接部材(1)には溝があり、ズレ防止体(4)は周縁部(41)が溝の内側に入り込んだ状態で回動するように構成されていることを特徴とする、
第１または第２の発明に係るロールスクリーンである。
【００１２】
第５の発明にあっては、
対向して設けられたブラケット(2,2)間で保持される巻取軸(3)と、該巻取軸(3)に巻き取られるスクリーン(S)と、上記巻取軸(3)の両端側に固着してありスクリーン(S)を巻き取る際のズレを防止するズレ防止体(4)(4a)と、を備えているロールスクリーンであって、
該ロールスクリーンは、スクリーン(S)がズレ防止体(4)(4a)を乗り越えてブラケット(2
)側にズレることを防止する乗り越え防止体を備えていることを特徴とする、  ロールスクリーンである。
【００１３】
第６の発明にあっては、
ズレ防止体(4)は巻取軸(3)の周囲に張り出した周縁部(41)を有し、乗り越え防止体(7)(8)のスクリーン係止部(72)(81)は、スクリーン(S)のロール体(R)の外周部の外方に位置し、巻取軸(3)の軸心からスクリーン係止部(72)(81)までの距離は、巻取軸(3)の軸心からズレ防止体(4a)の周縁部(41)までの距離よりも短く構成されていることを特徴とする、
第５の発明に係るロールスクリーンである。
【００１４】
第７の発明にあっては、
乗り越え防止体は、ロール体(R)の外周部の上側またはロール体(R)の外周部のスクリーン(S)垂れ下がり側に少なくとも設けてある係止体(7)、あるいはズレ防止体(4a)の外周部の上側またはズレ防止体(4a)の外周部のスクリーン(S)垂れ下がり側を少なくとも覆うカバー(8)の何れかまたは双方で構成されていることを特徴とする、      
第６の発明に係るロールスクリーンである。
【００１５】
（作  用）
本発明は上記構成を備え、以下のようにそれぞれ作用する。
（ａ）隣接部材を備えているものは次のように作用する。
子供が操作コード等を乱暴に引っ張って、スクリーン(S)を勢い良く巻き上げたとする。
しかし、隣接部材(1)とズレ防止体(4)の周縁部(41)との間隔はスクリーン(S)の厚みよりも狭くなっているので、隣接部材(1)とズレ防止体(4)が協働してスクリーン(S)を係止し、スクリーン(S)が隣接部材(1)とズレ防止体(4)の間を乗り越えることを防止する。
【００１６】
（ｂ）隣接部材がフレーム(1)で構成されているものは、そのフレーム(1)がズレ防止体(4)と協働して、スクリーン(S)が隣接部材(1)とズレ防止体(4)の間を乗り越えることを防止する。
【００１７】
（ｃ）隣接部材(1a)のうち少なくともズレ防止体(4)の周縁部(41)と隣接する側がズレ防止体(4)の外形に合わせて形成されているものは、隣接部材(1a)とズレ防止体(4)との間隔が部分的に広くなることを防止できる。よって、ズレ防止体(4)の手前側からスクリーン(S)が乗り上がっていったとしても、隣接部材(1a)とズレ防止体(4)は協働して確実にスクリーン(S)を係止する。
【００１８】
（ｄ）隣接部材(1)には溝があり、ズレ防止体(4)の周縁部(41)が溝の内側に入り込んだ状態で回動するように構成されているものは、その溝もズレ防止体(4)と協働してスクリーン(S)を係止する。
【００１９】
（ｅ）スクリーン(S)がズレ防止体(4)(4a)を乗り越えてブラケット(2)側にズレることを防止する乗り越え防止体を備えているものは、係止体(7)やカバー(8)等で構成される乗り越え防止体が巻き取る際のスクリーン(S)のズレを確実に防止する。
【００２０】
（ｆ）ズレ防止体(4)が巻取軸(3)の周囲に張り出した周縁部(41)を有し、乗り越え防止体(7)(8)のスクリーン係止部(72)(81)がスクリーン(S)のロール体(R)の外周部の外方に位置し、巻取軸(3)の軸心からスクリーン係止部(72)(81)までの距離が巻取軸(3)の軸心からズレ防止体(4a)の周縁部(41)までの距離よりも短く構成されているものは、スクリーンが乗り越え防止体を乗り越えようとしても、ズレ防止体の周縁部よりも巻取軸の軸心に近いスクリーン係止部(72)(81)がスクリーン(S)を係止する。
【発明の効果】
【００２１】
本発明は上記構成を備え、次の効果を有する。
（ａ）ズレ防止体の周縁部の上側に隣接するかまたはズレ防止体の周縁部のスクリーン垂れ下がり側に隣接した隣接部材を備えているものは、該隣接部材とズレ防止体の周縁部との間隔がスクリーンの厚みよりも狭くなっているので、隣接する隣接部材とズレ防止体の周縁部の間をスクリーンが通過することはない。したがって、スクリーンを勢い良く巻き上げる等しても、スクリーンが隣接部材とズレ防止体の間を乗り越えてブラケット側にズレることを確実に防止できる。これにより、例えば子供が乱暴にロールスクリーンを操作したとしても、スクリーンがプーリーやブラケット等に接触し、擦れたり損傷したりすることを防止できる。よって、例えば子供連れの客も多い和食処や居酒屋などでも好適に使用できる。
【００２２】
（ｂ）対向するブラケット間を連結するフレームで隣接部材が構成されているものは、フレームを有するロールスクリーンの場合、そのフレームで隣接部材を構成できるので、隣接部材を別途設ける必要がない。
【００２３】
（ｃ）隣接部材のうち少なくともズレ防止体の周縁部と隣接する側がズレ防止体の外形に合わせて形成されているものは、隣接部材とズレ防止体との間隔が部分的に広くなることを防止できるので、ズレ防止体の手前側からスクリーンが乗り上がっていったとしても、隣接部材とズレ防止体と協働して確実にスクリーンを係止して巻き込みを防ぐことができる。
【００２４】
（ｄ）隣接部材には溝があり、ズレ防止体の周縁部が溝の内側に入り込んだ状態で回動するように構成されているものは、スクリーンは単に横に移動するだけでなく、溝の内側に入り込まないとズレることはできないため、隣接部材とズレ防止体の周縁部の間をスクリーンが通過することをより確実に防止できる。
【００２５】
（ｅ）スクリーンがズレ防止体を乗り越えてブラケット側にズレることを防止する乗り越え防止体を備えているものは、乗り越え防止体により、巻き取る際のスクリーンのズレを確実に防止できる。
【００２６】
（ｆ）ズレ防止体が巻取軸の周囲に張り出した周縁部を有し、乗り越え防止体のスクリーン係止部がスクリーンのロール体の外周部の外方に位置し、巻取軸の軸心からスクリーン係止部までの距離が巻取軸の軸心からズレ防止体の周縁部までの距離よりも短く構成されているものは、スクリーンが乗り越え防止体を乗り越えようとしても、ズレ防止体の周縁部よりも巻取軸の軸心に近いスクリーン係止部がスクリーンを係止するので、スクリーンがズレ防止体を乗り越えることを確実に防止できる。したがって、巻き取る際のスクリーンのズレを確実に防止できる。
【００２７】
（ｇ）乗り越え防止体がロール体の外周部の上側またはロール体の外周部のスクリーン垂れ下がり側に少なくとも設けてある係止体、あるいはズレ防止体の外周部の上側またはズレ防止体の外周部のスクリーン垂れ下がり側を少なくとも覆うカバーの何れかまたは双方で構成されているものは、係止体または／及びカバーによってスクリーンがズレ防止体を乗り越えることを防止することにより、スクリーンのズレを確実に防ぐことができる。  
【発明を実施するための最良の形態】
【００２８】
本発明を図面に示した実施例に基づき更に詳細に説明する。
【実施例１】
【００２９】
図１は、本発明に係るロールスクリーンの第１の実施例を示す一部省略正面視説明図であり、ロールスクリーンの中間部分と操作コードの一部を省略して表している。
図２は、図１のI−I部分に対応する断面の一部を示す概略説明図であり、フレームを断面してフレームとズレ防止体の隣接部分を拡大して示したものである。
【００３０】
ロールスクリーンＲ１は、隣接部材であるフレーム１の両端側に対向して設けられたブラケット２，２によって、両端が回転自在に保持される巻取軸３を備えている。本実施例では、巻取軸３に簾で構成されたスクリーンＳが巻き取り及び繰り出し可能に取り付けられている。
【００３１】
巻取軸３の両端側には、スクリーンＳを案内して巻き取る際のズレを防止するズレ防止体であるズレ防止板４，４が固着されている。ズレ防止板４はその外形が円形であり、周縁部４１が巻取軸３の周囲に張り出した状態で設けてある。ズレ防止板４の回転中心は巻取軸３と同じ軸心上にあり、巻取軸３と共に回動する。
【００３２】
ズレ防止板４の周縁部４１（図２も参照）はフレーム１の下面部１１に隣接しており、ズレ防止板４の周縁部４１とフレーム１の下面部１１の間隔は、スクリーンＳの厚みよりも狭くなっている。
【００３３】
なお、本実施例では、スクリーンＳをすべて巻き終えた後のロール体の直径が９０ｍｍ、ズレ防止板４の直径が１０７ｍｍであるが、特にこの大きさに限定するものではない。
【００３４】
ズレ防止板４の周縁部４１は、内側（スクリーンＳ側）に向けて角を無くして円弧状に形成された乗り越え防止面４１１（図２参照）を備えている。スクリーンＳを巻き取る際に、スクリーンＳの端部がズレ防止板４の周縁部４１に多少接触したとしても、乗り越え防止面４１１によりスクリーンＳは内側に戻りやすい。符号５は、プーリー部材６に巻掛けられた操作コードを示している。
【００３５】
また、フレーム１を有さず、ブラケット２を壁部や柱等に直接取り付けるようなタイプのロールスクリーンの場合（例えば図６に示すブラケット２を参照）では、ブラケット２側にフレーム１と同様のズレ防止効果を有する隣接部材（図示せず）を取り付けることもできる。  
【００３６】
（作  用）
本実施例に係るロールスクリーンＲ１は、次のように作用する。
上記したように、ズレ防止板４の周縁部４１はフレーム１の下面部１１に隣接しており、ズレ防止板４の周縁部４１とフレーム１の下面部１１の間隔は、スクリーンＳの厚みよりも狭くなっている。よって、スクリーンＳは、隣接するズレ防止板４とフレーム１の間を通過することはできない。
【００３７】
このような構造により、スクリーンＳを勢い良く巻き上げる等しても、スクリーンＳがズレ防止板４を乗り越えてブラケット２側にズレることを防止できる。これにより、子供が乱暴にロールスクリーンＲ１を操作したとしても、スクリーンＳがブラケット２やプーリー部材６等に接触して擦れたり、損傷したりすることを防止できる。よって、子供連れの客が多い和食処や居酒屋などでも好適に使用できる。
【００３８】
また、万一、スクリーンＳの下部側が斜めにズレた状態でそのまま巻き始めたことで、ズレ防止板４の手前側からスクリーンＳが乗り上がっていったとしても、スクリーンＳは隣接するズレ防止板４とフレーム１の隙間を通過することはないので、その隙間部分に当たったスクリーンＳはその反動で元の位置（ズレ防止板４の内側）に戻り、ズレは防止される。
【実施例２】
【００３９】
図３は、本発明に係るロールスクリーンの第２の実施例を示し、図２と同様にフレームを断面してフレームとズレ防止体の隣接部分を拡大して示した要部側面視説明図である。
【００４０】
なお、実施例１と同一または同等箇所には同一の符号を付して示している。また、実施例１で説明した箇所については、説明を省略し、主に相異点を説明する。これについては、後述する他の実施例についても同様である。
【００４１】
実施例１に係るロールスクリーンＲ１（図２参照）では、フレーム１の下面部１１が平らであるため、フレーム１の幅方向の中央部分に比べ、フレーム１の幅方向の両側とズレ防止板４との間隔が若干広くなる。これに対し、図３に示す本実施例に係るロールスクリーンＲ２では、フレーム１ａの下面部のうち少なくともズレ防止板４の周縁部４１と隣接する側に、ズレ防止板４の外形に合わせた断面円弧状の凹部面１２がフレーム１ａの内側に凹ませた状態で設けてある。よって、フレーム１ａとズレ防止板４の間隔は、フレーム１ａの幅方向全体にわたってほぼ均一に狭くなっており、部分的に広い箇所が形成されることが防止されている。したがって、ズレ防止板４の手前側からスクリーンＳが乗り上がっていったとしても、フレーム１ａの幅方向の端部側で確実にスクリーンＳを係止して巻き込みを防止できる。
【００４２】
なお、凹部面１２は、フレーム１ａの長手方向においてズレ防止板４が隣接する箇所に部分的に設けても良いし、フレーム１の長手方向全体に渡って連続して設けることもできる。フレーム１の長手方向全体に設けた場合、幅が多少異なるスクリーンＳに対しても同じフレーム１で対応することができ、製造時の部品点数を減らすことができる。
【００４３】
また図示はしていないが、凹部面１２の代わりにフレーム１の幅方向に向かって溝を形成することもできる。即ち、ズレ防止板４の厚みよりも幅が広い溝をフレーム１の幅方向に形成し、その溝の内側に、ズレ防止板４の周縁部４１が入り込んだ状態で回動するように構成することもできる。
【００４４】
その他の構成及び作用・効果は、既に説明した実施例１と同じであるため、説明を省略する。
【実施例３】
【００４５】
図４は、本発明に係るロールスクリーンの第２の実施例を示す一部省略正面視説明図であり、ロールスクリーンの中間部分と操作コードの一部を省略して表している。
図５は、図４に示すロールスクリーンの一部省略説明図であり、ロールスクリーンの右側半分を省略して表している。
【００４６】
本実施例に係るロールスクリーンＲ３では、フレーム１ｂの両端側に係止体で構成された乗り越え防止体７，７が設けてある。乗り越え防止体７は、金属製で長板状に形成された小片である。乗り越え防止体７の上端部は、ネジやビス等の固着具７１によりフレーム１ｂに固着されている。乗り越え防止体７の下部側は下方に垂れており、外側に弓形にやや反って形成されたスクリーン係止部７２を備えている。
【００４７】
スクリーン係止部７２は、完全に巻き終えた状態のロール体Ｒの外周部よりも外方に位置し、通常の巻き取り操作ではスクリーンＳに接触しないようになっている。これにより、通常の巻き取り操作によって、スクリーンＳがスクリーン係止部７２と擦れることはない。巻取軸３の軸心からスクリーン係止部７２までの距離は、巻取軸３の軸心からズレ防止板４ａの周縁部４１までの距離よりも短い。
【００４８】
よって、スクリーンＳが乗り越え防止体７を乗り越えようとしても、ズレ防止体４ａの周縁部４１よりも巻取軸３の軸心に近いスクリーン係止部７２がスクリーンＳを係止するので、スクリーンＳがズレ防止体４ａを乗り越えることを確実に防止できる。したがって、巻き取る際のスクリーンＳのズレを確実に防止できる。スクリーン係止部７２の先部側は更に外方に反っており、スクリーンＳが外側に広がった場合でもその先端部７２１でスクリーンＳを傷つけないようになっている。
【００４９】
本実施例では、乗り越え防止体７を設けているため、実施例１に係るロールスクリーンＲ１（図１参照）のように、ズレ防止板４ａを特に大きく形成していないが、実施例１と同じ構造のズレ防止板４を使用することもできる。
【００５０】
なお、実施例１で記載したように、フレーム１を有さないタイプのロールスクリーンを採用した場合には、取付部などを介してブラケット２側に乗り越え防止体７を取り付けることもできる。  
【００５１】
また、例えば乗り越え防止体７を柔軟性、可撓性または変形性を有する素材で形成し、ロール体Ｒを軸心方向に常に付勢させて（押さえつけて）、スクリーンＳのズレを防止するような構成とすることもできる。その場合、乗り越え防止体７でスクリーンＳを傷つけないような構成を採用することが望ましい。例えば、乗り越え防止体７のスクリーン係止部７２にスクリーンＳに当接する回転体であるローラー（図示せず）を設けることで、乗り越え防止体７とスクリーンＳの摩擦係数を減らすようにしても良い。
【実施例４】
【００５２】
図６は、本発明に係るロールスクリーンの第４の実施例を示す一部省略説明図であり、ロールスクリーンの右側半分を省略して表している。
図７は、ズレ防止体を端面した要部拡大正面視説明図を示している。
【００５３】
本実施例に係るロールスクリーンＲ４では、ズレ防止板４ａの外周部の上部側を周方向に覆うカバーにより、乗り越え防止体８が構成されている。乗り越え防止体８の内縁部は、スクリーン係止部８１を構成する。巻取軸３の軸心からスクリーン係止部８１までの距離は、巻取軸３の軸心からズレ防止板４ａの周縁部４１までの距離よりも短い。これにより、スクリーンＳがズレ防止板４ａを乗り越えることを防止できる。
【００５４】
乗り越え防止体８は、例えばＬ形の取付部２１を介してブラケット２に取り付けられている。乗り越え防止体８は断面が略逆「Ｕ」字状であり、自転車の泥よけのごとく、上方からズレ防止板４の上部側を覆っている。図７に示すように、乗り越え防止体８の横幅は、スクリーンＳのロール体Ｒの外周面１０にかかるような大きさに設定されている。  
【００５５】
以上のような構成により、スクリーンＳを勢い良く巻き上げる等することにより、スクリーンＳがズレ防止板４ａを乗り越えようとしても、乗り越え防止体８のスクリーン係止部８１がスクリーンＳの外周面１０を係止して押さえるので、スクリーンＳがズレ防止板４を乗り越えてブラケット２側にズレることを防止できる。
【００５６】
また、ロールスクリーンＲ４がフレーム１（図１参照）を有する場合は、フレーム１側に乗り越え防止体８を取り付けることもできる。
更に図７において、ロールスクリーンＲ４を係止する部分は、スクリーン係止部８１を構成する乗り越え防止体８の内縁部であるため、図７で右半分のカバー部分だけで乗り越え防止体８を構成することもできる。
【００５７】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００５８】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００５９】
【図１】本発明に係るロールスクリーンの第１の実施例を示す一部省略正面視説明図。
【図２】図１のI−I部分に対応する断面の一部を示す概略説明図であり、フレームを断面してフレームとズレ防止体の隣接部分を拡大して示したものである。
【図３】本発明に係るロールスクリーンの第２の実施例を示し、図２と同様にフレームを断面してフレームとズレ防止体の隣接部分を拡大して示した要部側面視説明図。
【図４】本発明に係るロールスクリーンの第２の実施例を示す一部省略正面視説明図であり、ロールスクリーンの中間部分と操作コードの一部を省略して表している。
【図５】図４に示すロールスクリーンの一部省略説明図であり、ロールスクリーンの右側半分を省略して表している。
【図６】本発明に係るロールスクリーンの第４の実施例を示す一部省略説明図でありロールスクリーンの右側半分を省略して表している。
【図７】ズレ防止体を端面した要部拡大正面視説明図。
【図８】従来のロールスクリーンを示す正面視説明図。
【符号の説明】
【００６０】
１，１ａ，１ｂ フレーム
２ ブラケット
３ 巻取軸
４，４ａ ズレ防止板
５ 操作コード
６ プーリー部材
７ 乗り越え防止体
８ 乗り越え防止体
１０ 外周面
１１ 下面部
１２ 凹部面
２１ 取付部
４１ 周縁部
７１ 固着具
７２，８１  スクリーン係止部
７２１ 先端部
４１１ 防止面
Ｒ ロール体
Ｒ１〜Ｒ４ ロールスクリーン
Ｓ スクリーン
【図１】
2006299801.tif 000003
【図２】
2006299801.tif 000004
【図３】
2006299801.tif 000005
【図４】
2006299801.tif 000006
【図５】
2006299801.tif 000007
【図６】
2006299801.tif 000008
【図７】
2006299801.tif 000009
【図８】
2006299801.tif 000010
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
対向して設けられたブラケット(2,2)間で保持される巻取軸(3)と、該巻取軸(3)に巻き取られる簾で構成されたスクリーン(S)と、上記巻取軸(3)の両端側に固着してありスクリーン(S)を巻き取る際のズレを防止するズレ防止体(4,4)と、を備えており、該ズレ防止体(4)は巻取軸(3)の周囲に張り出した周縁部(41)を有しているロールスクリーンであって、
ズレ防止体(4)の周縁部(41)の上側に隣接するかまたはズレ防止体(4)の周縁部(41)のスクリーン(S)垂れ下がり側に隣接した隣接部材(1)を備えており、該隣接部材(1)とズレ防止体(4)の周縁部(41)との間隔はスクリーン(S)の厚みよりも狭くなっている、
ロールスクリーン。
【請求項２】
隣接部材(1)は、対向するブラケット(2,2)間を連結するフレーム(1)で構成されている、
請求項１記載のロールスクリーン。